(57)【要約】【課題】Ａ４以上の比較的大判の写真の収納、保存及び運搬に優れた写真用箱を提供する。【解決手段】  Ａ４サイズ以上の大きさの写真を収容する写真用箱１００において、底面と４つの側面とを有し、対向する側面１２に底面１１から側面に連通する切欠部１５が側面の幅を二等分する二等分線以外の位置にそれぞれ少なくとも１つずつ設けられている箱本体１０からなり、切欠部１５は、それぞれの対向する側面の二等分線の反対側の位置に設けられていることを特徴とする。【選択図】図１
2019013269.tif 000002
【特許請求の範囲】
【請求項１】
Ａ４サイズ以上の大きさの写真を収容する写真用箱において、
底面と４つの側面とを有し、対向する側面に前記底面から前記側面に連通する切欠部が側面の幅を二等分する二等分線以外の位置にそれぞれ少なくとも１つずつ設けられている箱本体からなり、
前記切欠部は、それぞれの前記対向する側面の二等分線の反対側の位置に設けられていることを特徴とする写真用箱。
【請求項２】
前記底面に形成された前記切欠部は、少なくとも一部が円弧状に切り欠かれていることを特徴とする請求項１記載の写真用箱。
【請求項３】
前記側面に形成された前記切欠部は、上方側の幅が底面側の幅より広く形成されていることを特徴とする請求項１又は２に記載の写真用箱。
【請求項４】
前記底面には、前記底面側の前記切欠部より小さく形成された前記切欠部を有する底面内板を備えていることを特徴とする請求項１から３のいずれか１項に記載の写真用箱。
【請求項５】
請求項１から４のいずれか１項に記載の写真用箱において、
前記切欠部に挿入可能な幅の輪状の弾性部材を備えていることを特徴とする写真用箱。
【請求項６】
前記底面の裏面側には、前記切欠部よりも外側に滑り止め部材を有することを特徴とする請求項１から５のいずれか１項に記載の写真用箱。
【請求項７】
請求項１から６のいずれか１項に記載の写真用箱において、
写真の表面を保護するクッション材と、
フィルム、写真の電子データを記録した記録媒体を収納可能な前記収納袋と、
を有し、前記クッション材に対して収納袋の底面部のみが接合された収納袋付クッション材を備えたことを特徴とする写真用箱。
【請求項８】
請求項１から７のいずれか１項に記載の写真用箱において、
上面と蓋側面とを有する蓋体を備えていることを特徴とする写真用箱。
【発明の詳細な説明】
【技術分野】
【０００１】
本発明は、写真用箱に関する。
【背景技術】
【０００２】
写真用の箱としては、従来から種々の箱が提案されている（例えば、特許文献１等）。しかしながら、Ａ４以上の大きさの写真を複数枚まとめて収納、保管、運搬する写真用箱は、ほとんど存在していないのが実情である。
【０００３】
なぜなら、Ａ４以上の大きさの写真は、基本的に額等に入れて飾るための写真であり、一般的にまとめて収納したり、保管したり、持ち運ばなければならないという需要がそれほどないからである。しかし、プロの写真家が個展を開催する場合や、アマチュアの写真家がコンテストに応募したり、個展を開催したりする場合等には、多数のＡ４以上の大判の写真を運ばなければならないことがある。
【０００４】
しかし、大判の写真は、重ねた場合にそれぞれが滑り易く、まとめて持った場合に、写真の一部が滑り落ちやすいという特性がある。また、大判の写真は、持つ位置を選ばないと、自重によって折れ曲がったり、それぞれの写真がずれることによって傷がついてしまったりする危険性も高いという問題もあった。一方で、展示用の写真やコンテスト応募用の写真は、一端、折れ曲がってしまったり、傷がついてしまったりしたものは使用することができなくなるため、収容した箱から写真を取り出す際には非常に神経を使うものであった。
【先行技術文献】
【特許文献】
【０００５】
【特許文献１】特開平５−１２３２３４号公報
【特許文献２】実用新案登録第３０３０６８４号
【発明の概要】
【発明が解決しようとする課題】
【０００６】
そこで、本発明は、Ａ４以上の比較的大判の写真を複数枚まとめて収納、保管及び運搬するのに適しており、かつ容易に必要な枚数の写真を取り出すことができる写真用箱を提供することを主たる目的とする。
【課題を解決するための手段】
【０００７】
本発明は、上述の目的を達成するために以下の手段を採った。
【０００８】
本発明にかかる写真用箱は、
Ａ４サイズ以上の大きさの写真を収容する写真用箱において、
底面と４つの側面とを有し、対向する側面に前記底面から前記側面に連通する切欠部が側面の幅を二等分する二等分線以外の位置にそれぞれ少なくとも１つずつ設けられている箱本体からなり、
前記切欠部は、それぞれの前記対向する側面の二等分線の反対側の位置に設けられていることを特徴とする。
【０００９】
本発明にかかる写真用箱は、底面及び側面に連通する切欠部が形成されているため、底面の切欠部から持ち上げることで重ねて収容された写真全体を取り出すことができる。また、側面の切欠部から任意の枚数を取り出すこともできる。さらに、切欠部が対向する側面に幅を二等分する二等分線に対して反対側の位置、すなわち、側面に対して斜めの方向に切欠きが設けられているので、写真を掴んだ際に、写真の中心に対して略対角位置を掴むことができる。そのため、写真が滑り落ちる可能性を低減することができる。
【００１０】
また、本発明にかかる写真用箱において、前記底面に形成された前記切欠部は、少なくとも一部が円弧状に切り欠かれていることを特徴とするものであってもよい。
【００１１】
円弧状に切り欠くことによって、指先の形状に適合させることができ、写真の底面を支持しやすくすることができる。
【００１２】
さらに、本発明にかかる写真用箱において、前記側面に形成された前記切欠部は、上方側の幅が底面側の幅より広く形成されていることを特徴とするものであってもよい。
【００１３】
かかる構成を採用することによって、写真を持ち上げる際に、指の位置を若干ずらすことができ、写真が僅かに湾曲した状態で写真を持ち上げることができる。対角状に湾曲させることによって、重ねられた写真が滑り落ちることなく、安全に写真を取り出すことができる。
【００１４】
さらに、本発明にかかる写真用箱において、前記底面には、前記底面側の切欠部より小さく形成された切欠部を有する底面内板を備えていることを特徴とするものであってもよい。
【００１５】
かかる底面内板を有することによって、底面内板を指で引っ掛けやすく、底面内板ごと写真全体を取り出すことができるようになる。
【００１６】
さらに、本発明にかかる写真用箱において、前記切欠部に挿入可能な幅の輪状の弾性部材を備えていることを特徴とするものであってもよい。
【００１７】
このような輪状の弾性部材を有することによって、切欠部を含むように弾性部材を掛けることによって、写真を箱本体に固定することができる。従って、写真用箱を縦にして運搬することが可能となる。また、運搬時に写真がずれる可能性を低減することができるので、写真表面に傷がつくことを防止することができる。
【００１８】
さらに、本発明にかかる写真用箱において、前記底面の裏面側には、前記切欠部よりも外側に滑り止め部材を有することを特徴とするものであってもよい。
【００１９】
かかる滑り止め部材を有することによって、写真用箱を誤って傾いている机や斜面においた場合であっても、写真用箱が落下したり、滑り落ちたりする可能性を低減することができる。また、写真用箱を重ねて載置した場合であっても写真用箱が崩れ落ちる可能性を低減することができる。また、前記切欠部より外側に滑り止めを載置することによって、輪状の弾性部材を写真用箱に掛けた場合であっても、輪状の弾性部材が滑り止め部材の表面を覆うことがないので、滑り止め機能を阻害することを防止することができる。
【００２０】
さらに、本発明にかかる写真用箱において、写真の表面を保護するクッション材と、フィルム、写真の電子データを記録した記録媒体を収納可能な収納袋と、を有し、前記クッション材に対して収納袋の底面部のみが接合された収納袋付クッション材を備えたことを特徴とするものであってもよい。
【００２１】
収納袋付きクッション材６０を設けることによって、写真の表面が保護されるため、輪状の弾性部材３０や蓋体２０の内面によって写真が傷つくことを防止することができる。また収納袋６２を設けることによって、収容した写真５０のネガフィルム、電子データを記録した記録媒体を同じ写真用箱１００内に保存することができるので、写真５０のネガフィルム、電子データの記憶場所が分からなくなったりすることを防止することができる。
【００２２】
さらに、本発明にかかる写真用箱において、上面と蓋側面とを有する蓋体を備えていることを特徴とするものであってもよい。写真用箱に蓋を設けるものとしたものである。
【発明の効果】
【００２３】
本発明にかかる写真用箱によれば、特にＡ４以上の比較的大判の写真の収納、保管及び運搬に優れた写真用箱を提供することができる。
【図面の簡単な説明】
【００２４】
【図１】図１は、実施形態にかかる写真用箱１００の構成の概略を示す図である。
【図２】図２は、実施形態にかかる写真用箱１００に写真を収容した状態を示す図である。
【図３】図３は、実施形態にかかる写真用箱１００の蓋体２０の概略を示す図である。
【図４】図４は、収納袋付クッション材６０を有する写真用箱１００の概略を示す図である。
【発明を実施するための形態】
【００２５】
次に、本発明にかかる写真用箱１００の実施形態について、図を参照しつつ詳細に説明する。なお、以下に説明する実施の形態及び図面は、本発明の実施形態の一部を例示するものであり、これらの構成に限定する目的に使用されるものではなく、本発明の要旨を逸脱しない範囲において適宜変更することができる。
【００２６】
図１は、実施形態にかかる写真用箱１００の概略図が示されている。
【００２７】
本実施形態にかかる写真用箱１００は、箱本体１０と、蓋体２０と、輪状の弾性部材３０（図２参照）と、収納袋付きクッション材６０を主として備えている。
【００２８】
箱本体１０は、底面１１と、底面１１に立設された側面１２ａ、１２ｂとを有する直方体の箱状に形成されている。箱本体１０は、収容するＡ４サイズ以上の写真５０の大きさに対して、それぞれプラス１０ｍｍ以内の大きさに作製される。好ましくはプラス５．０ｍｍ以内に作製するとよい。写真５０の大きさに対して、大きすぎると収容された写真５０が箱本体１０内で移動し、写真５０の端部に損傷を与えたり曲がったりする可能性があるからである。例えば、Ａ４サイズであれば、２１０ｍｍ＋１０ｍｍ×２９７ｍｍ＋１０ｍｍ以内の大きさに作製される。その他、Ａ４サイズより大きい写真としては、四切（２５４ｍｍ×３０５ｍｍ）、Ａ３（２９７ｍｍ×４２０ｍｍ）、Ａ３ノビ（３２９ｍｍ×４８３ｍｍ）、半切（３５６ｍｍ×４３２ｍｍ）、Ａ２（４２０ｍｍ×５９４ｍｍ）、全紙（４５７ｍｍ×５６０ｍｍ）等があるがこれらに限定されるものではない。
【００２９】
箱本体１０の材料は、特に限定するものではないが、紙で作製することが好ましい。さらに好ましくは、段ボールを使用するとよい。写真は湿気に弱く、水分を吸うと劣化してしまうが、紙製とすることで、箱内部の湿度の上昇を抑え、写真を長持ちさせることができるからである。
【００３０】
箱本体１０の側面１２のうち対向する側面（側面１２ａ、１２ａの組み合わせ又は側面１２ｂ、１２ｂの組み合わせ）には、底面１１から側面１２に連通する切欠部１５が形成されている。切欠部１５は、図１に示すように、側面１２の幅方向を二等分する二等分線（以下「中央縦線１６」という。）の位置以外の部位に形成されている。対向する側の切欠部１５は、中央縦線１６に対して反対側の側面１２に設けられている。本実施形態においては、右側面１２ａの切欠部１５ａは中央縦線１６より前方側に形成され、左側面１２ａの切欠部１５ｂは、中央縦線１６より後方側に形成されている。切欠部１５は、好ましくは、中央縦線１６と前後側面との間の距離の１／３〜２／３の間に配置するとよい。あまり前後側面に近い位置に設けると写真５０を持った場合に、写真５０の中央が重みでＵ字状に曲がって落下する可能性があるからである。より好ましくは、中央縦線１６と前後側面との真ん中あたりに形成するとよい。
【００３１】
それぞれの切欠部１５の形態は底面１１及び側面１２との間で連通して形成されていれば、その形態は特に限定するものではないが、図１に示すように、底面１１に形成される切欠部１５は、先端を円弧状に形成するとよい。円弧状に形成することによって指先の形態に適合するので、先端に指を滑らせつつ内部に収容された写真５０を指先で持ち上げることができる。また、側面１２に形成された切欠部１５は、上方側の切欠部１５の幅が底面１１側の切欠部１５の幅より広くなるようにテーパー状に形成するとよい。テーパー状に形成することによって、写真５０を持ち上げる時に指の位置を移動可能なため、写真５０の荷重バランスを指先で採ることができ、重ねられた写真５０が落下することを防止することができる。例えば、写真５０を持ち上げる際には、持ち上げた場所をわずかに中央に寄せて、中央が凸状に、端部が下方に垂れるように持ち上げると滑り落ちづらくなるが、このような状態を箱本体１０から取り出しきる前に行うことができる。
【００３２】
また、箱本体１０の底面１１には、底面内板４０を設けても良い。底面内板４０を設けることによって、底面内板４０を持ち上げることで重ねられたすべての写真５０を持ち上げることができる。さらに、底面内板４０に、図１に示すように、底面１１に形成された切欠部１５よりも若干小さな切欠部１５を形成することによって、底面内板４０を指先で引っ掛けて持ち上げやすくなる。このように底面内板４０を設けることによって、底面内板４０を使用してすべての写真５０を持ち上げる場合と、直接指ですべての写真を持ち上げる場合とを使い分けることができるようになる。
【００３３】
また、箱本体１０の底面１１の裏面側には、図２に示すように、滑り止め部材１７を設けても良い。滑り止め部材１７としては、例えば、滑り止め用のテープを貼着したり、滑り止め用のゴムを取り付けたり、織物に発泡プラスチックを被覆したもの、例えば、ポリエステル繊維に塩化ビニル発泡体を被覆したもの等を取り付けたりすることで滑り止め機能を設けることができる。滑り止め部材１７は、図２に示すように、対向する側面１２に設けられた切欠部１５をつなぐ線以外の部分、すなわち、後述する輪状の弾性部材３０が掛けられる部位を避けて設けられる。かかる位置に滑り止め部材１７を設けると、輪状の弾性部材３０によって滑り止め部材１７を覆ってしまうことになるからである。好ましくは、切欠部よりも外側に滑り止め部材を設けるとよい。また、滑り止め部材１７は、輪状の弾性部材３０の厚さよりも厚い滑り止め部材１７を取付けるとよい。さもないと、輪状の弾性部材３０によって、滑り止め部材１７が載置面に接触しない可能性があるからである。
【００３４】
輪状の弾性部材３０は、例えば、ゴムやエラストマー等からなる弾性を有するリングである。輪状の弾性部材３０は、図２に示すように、対向する側面１２に形成された２つの切欠部１５を跨ぐように掛けることにより、写真５０を箱本体１０内に固定することができる。特に本発明にかかる箱本体１０は、対抗する側面１２に略対角方向に切欠部１５が形成されているので、弾性部材３０が写真５０に対して斜めに掛かることになるため、写真５０が側面から滑って落下する可能性を低減することができる。このように輪状の弾性部材３０を掛けることにより、運搬時に写真５０同士が擦れあって表面を傷つけたりする可能性を低減することができる。また、写真用箱１００を縦にして運ぶことも可能となる。
【００３５】
蓋体２０は、箱本体１０を覆うように、上面及び４つの蓋側面から形成されている。
【００３６】
収納袋付きクッション材６０は、最上面に配置された写真５０の表面に傷がつくことを防止するとともに、撮影されたネガフィルム、写真を記録した電子媒体や、試し刷り写真等を保管する機能を有する。収納袋付きクッション材６０は、図４に示すように、クッション材６１と収納袋６２とからなる。クッション材６０は、スポンジ、一方のシートを成形した円柱状の突起の中に空気を閉じ込めた気泡緩衝材等の緩衝材が使用される。クッション材６０の大きさは、若干写真の大きさよりも大きく作製することが好ましい。収納袋６２は、限定するものではないが、プラスチック製の透明袋が好ましく、開口部は綴ることができるようにチャック付のものを使用するとよい。収納袋６２の大きさは、好ましくは、２Ｌサイズ（１２７ｍｍ×１７８ｍｍ）以上の大きさに作成するとよい。写真を現像又はプリントする際に、Ａ４以上の大きさの写真にする前に、２Ｌサイズ程度の大きさで試し刷りを行うことがある。こうした場合に、２Ｌサイズ以上の大きさにしておけば、試し刷りした写真を収納することができるからである。現実には、複数の試し刷り写真、ネガフィルム、写真が記録されたＵＳＢメモリーやＣＤ−ＲＯＭ等の電子記録媒体を収納することを考慮すると、１７０ｍｍ×２４０ｍｍ以上の大きさに形成するとよい。プラスチック袋は、図４に示すように、袋の底部側のみをクッション材６１に溶着、接着等によって接合された接合部６３で取付けられている。収納袋６２の全面又は全周をクッション材６１に取付けると、収納袋の開口時に側辺部分が破れたり、写真等が入れづらくなったり、また、収納袋付きクッション材６０を箱から取り出す際に、クッション材６１の折れ曲がりに沿って収納袋６２も折れ曲がり、内部の試し刷り写真等が折れてしまう可能があるからである。底部又は底部近傍のみを接合することによって、写真を入れる際に収納袋６２を起こして収納することができるので、写真、ネガフィルムや電子記録媒体を入れやすくなり、クッション材６１が折れ曲がっても収納袋６２が沿って折れ曲がることがないため、写真が折れ曲がる危険性を低減することができる。このような収納袋付きクッション材６０を設けることによって、写真の表面が保護されるため、輪状の弾性部材３０や蓋体２０の内面によって写真が傷つくことを防止することができる。また収納袋６２を設けることによって、収納した写真５０のネガフィルム、電子データを同じ写真用箱１００内に保存することができるので、写真５０のネガフィルム、電子データを紛失したり、記憶した場所が分からなくなったりすることを防止することができる。
【００３７】
このように、本発明にかかる写真用箱１００によれば、比較的大きな写真５０であるＡ４以上の大きさの写真５０を複数収容した際に、側面１２の切欠部１５から任意の枚数の写真５０を取り出すことができ、底面１１の切欠部１５から収容されたすべての写真を取り出すことができる。このようなＡ４以上の大きさの写真であると、写真用箱１００から取り出す際にひっくり返して取り出すことができないので、従来では、少なくとも指を入れることができる程度の隙間を写真５０と写真用箱１００の間に設ける必要があったが、写真５０を側面１２又は底面１１から取り出せるようにすることによって、写真用箱１００の内寸を写真５０の大きさに対して隙間を設けなくてもよく、写真５０の大きさに合わせた内寸の箱を作製することができる。このため、写真５０が写真用箱１００内で大きく移動することを防止することができる。よって、写真５０の端部が折れたり、曲がったりすることを防止することができる。さらに、輪状の弾性部材３０を切欠部１５を跨ぐように掛けることによって、写真５０が写真用箱１００内で移動することを低減することができ、写真の表面に傷がつくおそれを防止することができる。
【産業上の利用可能性】
【００３８】
上述した実施の形態で示すように、特に、Ａ４以上の比較的大きな写真を収納、保管又は運搬する際に産業上利用可能である。
【符号の説明】
【００３９】
１０…箱本体、１１…底面、１２…側面、１２ａ…側面、１２ｂ…側面、１５…切欠部、１５ａ…切欠部、１５ｂ…切欠部、１６…中央縦線、１７…部材、２０…蓋体、３０…弾性部材、４０…底面内板、５０…写真、６０…収納袋付クッション材、６１…クッション材、６２…収納袋、６３…接合部、１００…写真用箱
【図１】
2019013269.tif 000003
【図２】
2019013269.tif 000004
【図３】
2019013269.tif 000005
【図４】
2019013269.tif 000006
【手続補正書】
【提出日】平成30年8月9日(2018.8.9)
【手続補正１】
【補正対象書類名】特許請求の範囲
【補正対象項目名】全文
【補正方法】変更
【補正の内容】
【特許請求の範囲】
【請求項１】
Ａ４サイズ以上の大きさの写真を収容する写真用箱において、
底面と４つの側面とを有し、対向する側面に前記底面から前記側面に連通する切欠部が側面の幅を二等分する二等分線以外の位置にそれぞれ少なくとも１つずつ設けられている箱本体からなり、
前記切欠部は、それぞれの前記対向する側面の二等分線の反対側の位置に設けられており、
前記切欠部に挿入可能な幅の輪状の弾性部材を備えていることを特徴とする写真用箱。
【請求項２】
前記底面に形成された前記切欠部は、少なくとも一部が円弧状に切り欠かれていることを特徴とする請求項１記載の写真用箱。
【請求項３】
前記側面に形成された前記切欠部は、上方側の幅が底面側の幅より広く形成されていることを特徴とする請求項１又は２に記載の写真用箱。
【請求項４】
前記底面には、前記底面側の前記切欠部より小さく形成された前記切欠部を有する底面内板を備えていることを特徴とする請求項１から３のいずれか１項に記載の写真用箱。
【請求項５】
前記底面の裏面側には、前記切欠部よりも外側に滑り止め部材を有することを特徴とする請求項１から４のいずれか１項に記載の写真用箱。
【請求項６】
請求項１から５のいずれか１項に記載の写真用箱において、
写真の表面を保護するクッション材と、
フィルム、写真の電子データを記録した記録媒体を収納可能な前記収納袋と、
を有し、前記クッション材に対して収納袋の底面部のみが接合された収納袋付クッション材を備えたことを特徴とする写真用箱。
【請求項７】
請求項１から６のいずれか１項に記載の写真用箱において、
上面と蓋側面とを有する蓋体を備えていることを特徴とする写真用箱。